(57)【要約】      （修正有）【課題】インシュレータに装着された際に、傾くことを防止できるコネクタ用端子を提供する。【解決手段】コネクタ用端子２は、基部２１の両側の底部からそれぞれ折曲がるように延出した両アーム部２２と、その中の一方のアーム部２２から上向きに延出した半田付け部２３と、両アーム部２２からそれぞれ下向きに延出した一対の弾性アーム２４と、弾性アーム２４の末端に形成された八字形状を呈する接触アーム２５とを有する。前記基部２１には凸起２１０が突出するように設けられ、前記アーム部２２の末端にはコネクタのインシュレータの端子溝にそれぞれ干渉するように係合するための係合部２２０があり、一方のアーム部には半田付け部２３に連接するための連接部２２１を設ける。【選択図】図２
0003145137.tif 000002
【実用新案登録請求の範囲】
【請求項１】
基部と、
前記基部の両側からそれぞれ折曲がって延出するように形成される両アーム部と、
前記一方のアーム部から折曲がって延出するように形成される半田付け部と
を含むＩＣパッケージと前記回路基板とを機械的かつ電気的に接続するためのコネクタ用端子において、
前記他方のアーム部には、前記半田付け部へ向いている突出部が延出するように形成されることを特徴とするコネクタ用端子。
【請求項２】
前記突出部と半田付け部との間に、所定の距離を持っていることを特徴とする、請求項１に記載の弾性コネクタ用端子。
【請求項３】
前記基部の外側には凸起が突出するように形成され、前記一方のアーム部には前記半田付け部に連接するための連接部が形成されることを特徴とする、請求項１に記載の弾性コネクタ用端子。 
【考案の詳細な説明】
【技術分野】
【０００１】
本考案は、コネクタ用端子に関し、特に、ＩＣパッケージと回路基板とを連接するのに用いられるコネクタ用端子に関するものである。
【背景技術】
【０００２】
従来技術に係るコネクタ用端子１は、図１に示すように、基部１１と、基部１１の両側の底部からそれぞれ折曲がるように延出した両アーム部１２と、その中の一方のアーム部１２から上向きに延出した半田付け部１３と、両アーム部１２からそれぞれ下向きに延出した一対の弾性アーム１４と、弾性アーム１４の末端に形成された八字形状を呈する接触アーム１５とを有する。前記基部１１には凸起１１０が突出するように設けられ、前記アーム部１２の末端にはコネクタのインシュレータの端子溝（図示せず）にそれぞれ干渉するように係合するための係合部１２０があり、前記一方のアーム部１２には前記半田付け部１３と連接するための連接部１２１が設けられる。前記半田付け部１３には半田錫ボール（図示せず）が半田付けられるための凹部１３０が形成され、半田付け部１３と他方のアーム部１２の頂部との間の距離は大きい。
【０００３】
コネクタ用端子１がコネクタのインシュレータに装着される際において、コネクタ用端子１はインシュレータの下方から端子溝に装着され、装着される過程において、コネクタ用端子１の基部１１の頂部は下向きの押圧力Ｆで押されるので、前記凸起１１０及びアーム部１２の係合部１２０が端子溝の内壁にそれぞれ干渉するように接触することで、押圧力Ｆに対向したｆ１、ｆ２、ｆ３がそれぞれ生じる。
【考案の開示】
【考案が解決しようとする課題】
【０００４】
従来技術のコネクタ用端子１がコネクタのインシュレータに装着される際において、コネクタ用端子１はインシュレータの下方から端子溝に装着され、装着される過程において、コネクタ用端子１の基部１１の頂部は下向きの押圧力Ｆで押されるので、前記凸起１１０及びアーム部１２の係合部１２０が端子溝の内壁にそれぞれ干渉するように接触することで、押圧力Ｆに対向した抵抗力ｆ１、ｆ２、ｆ３がそれぞれ生じる。図１を参照すると、前記凸起１１０が端子溝の内側に干渉することによって生じる抵抗力ｆ１の作用点は押圧力Ｆの作用点とほぼ同じ直線上に位置するが、前記係合部１２０が端子溝の内側に干渉することによって生じる抵抗力ｆ２、ｆ３の作用点は押圧力Ｆの作用点との間に遠い距離の間隔を有しているため、回転モーメントＭを生じるので、コンタクト用端子１が端子溝に傾いて回転する恐れがあった。こうして、端子がインシュレータに装着される精確さは低下し、コネクタの質量に影響される。そこで、本考案は、以上の点に鑑みてなされたものであり、改良した新型のコネクタ用端子を提供することを目的とする。
【０００５】
本考案は、インシュレータに装着された際に、傾くことが防止できるコネクタ用端子を提供することを目的とする。
【課題を解決するための手段】
【０００６】
前記目的を達成するために、本考案のコネクタ用端子は、基部と、前記基部の両側からそれぞれ折曲がって延出するように形成される両アーム部と、前記一方のアーム部から折曲がって延出するように形成される半田付け部とを含むＩＣパッケージと前記回路基板とを機械的かつ電気的に接続するためのコネクタ用端子において、前記他方のアーム部には、前記半田付け部へ向いている突出部が延出するように形成されることを特徴とする。
【考案の効果】
【０００７】
従来の技術に比べると、本考案は以下の長所がある。本考案のコネクタ用端子は、突出部が形成されるので、コネクタ用端子に作用する作用力がバランスをとることができ、インシュレータに装着された際に、コネクタ用端子が傾くことが防止できる。端子がインシュレータに装着される精確さが向上する。
【考案を実施するための最良の形態】
【０００８】
以下、図２を参照し、本考案のコネクタ用端子２の実施形態について詳細に説明する。該コネクタ用端子２は、ＩＣパッケージ（図示せず）と回路基板（図示せず）とを機械的且つ電気的に接続するのに用いられる。
【０００９】
コネクタ用端子２は、基部２１と、基部２１の両側の底部からそれぞれ折曲がるように延出した両アーム部２２と、その中の一方のアーム部２２から上向きに延出した半田付け部２３と、両アーム部２２からそれぞれ下向きに延出した一対の弾性アーム２４と、弾性アーム２４の末端に形成された八字形状を呈する接触アーム２５とを有する。前記基部２１には凸起２１０が突出するように設けられ、前記アーム部２２の末端にはコネクタのインシュレータの端子溝（図示せず）にそれぞれ干渉するように係合するための係合部２２０があり、一方のアーム部１２には半田付け部２３に連接するための連接部２２１が設けられる。前記半田付け部２３には半田錫ボール（図示せず）が半田付けられるための凹部３３０が形成される。該コネクタ用端子２は、半田付けられた半田錫ボールにより回路基板に接続し、接触アーム２５によりＩＣパッケージに接続している。
【００１０】
前記他方のアーム部１２には突出部２２２が半田付け部２３方向に延出するように形成され、突出部２２２の頂面と半田付け部２３との間には所定の距離があり、該突出部２２２の頂面は平面である。
【００１１】
前記コネクタ用端子２がインシュレータの端子溝（図示せず）に装着される際において、前記基部２１と半田付け部２３とは下向きの押圧力Ｆ１、Ｆ２にそれぞれ押圧されると共に、前記基部２１の凸起２１０と、各アーム部２２の係合部２２１には前記押圧力Ｆ１、Ｆ２と反向の上向きの抵抗力ｆ１、ｆ２、ｆ３が作用する。半田付け部２３は押圧力Ｆ２により下向きへ変形して突出部２２２の頂面に当接する。
【００１２】
図２を参照すると、前記押圧力Ｆ１と抵抗力ｆ１との作用点がほぼ同じ直線上に位置し、押圧力Ｆ２と抵抗力ｆ２、ｆ３との作用点はほぼ同じ直線上に位置することで、コネクタ用端子２に作用する力はほぼバランスを保っている。これによって、コネクタ用端子２がインシュレータに装着される際に傾くことを防止できる。
【００１３】
以上、本考案について、好ましい実施の形態を参照して詳細に説明したが、実施形態は、あくまでも例示的なものであり、これらに限定されるものではない。また、前記の説明は、本考案に基づきなしうる細部の修正或は変更など、いずれも本考案の登録請求の範囲に属するものとする。
【図面の簡単な説明】
【００１４】
【図１】従来技術に係るコネクタ用端子の斜視図である。
【図２】本考案に係るコネクタ用端子の斜視図である。
【符号の説明】
【００１５】
２  コネクタ用端子
２１  基部
２２  アーム部
２３  半田付け部
２４  弾性アーム
２５  接触アーム
２１０  凸起
２２０  係合部
２２１  連接部
２２２  突出部
２３０  凹部 
【図１】
0003145137.tif 000003
【図２】
0003145137.tif 000004
【手続補正書】
【提出日】平成20年7月16日(2008.7.16)
【手続補正１】
【補正対象書類名】実用新案登録請求の範囲
【補正対象項目名】全文
【補正方法】変更
【補正の内容】
【実用新案登録請求の範囲】
【請求項１】
ＩＣパッケージと回路基板とを機械的かつ電気的に接続するためのコネクタ用端子であって、
基部と、
前記基部の両側からそれぞれ折曲がって延出するように形成される両アーム部と、
前記一方のアーム部から折曲がって延出するように形成される半田付け部と、を含み、
前記他方のアーム部には、前記半田付け部へ向いている突出部が延出するように形成されることを特徴とするコネクタ用端子。
【請求項２】
前記突出部と半田付け部との間に、所定の距離を持っていることを特徴とする、請求項１に記載のコネクタ用端子。
【請求項３】
前記基部の外側には凸起が突出するように形成され、前記一方のアーム部には前記半田付け部に連接するための連接部が形成されることを特徴とする、請求項１に記載のコネクタ用端子。